(57)【要約】  ゴミ処理箱等の空間において，蒸気相により細菌，特にグラム陽性細菌の数を減少させることができ，長期間，典型的には数週間活性を有する処方が開示される。この製品は，１またはそれ以上の精油または精油成分と，揮発性および非揮発性溶媒の混合物を，担体，例えば，不織布，焼結プラスチックまたはボール紙上に含む。【特許請求の範囲】
【請求項１】
担体上に吸収させた，１またはそれ以上の精油または精油成分，および揮発性溶媒と非揮発性溶媒との混合物を含む，空間を消毒するための蒸気生成製品。
【請求項２】
精油成分が桂皮アルデヒドである，請求項１記載の製品。
【請求項３】
精油成分が桂皮アルコールである，請求項１記載の製品。
【請求項４】
精油成分がオイゲノールである，請求項１記載の製品。
【請求項５】
担体上に吸収させた，１またはそれ以上の精油，および揮発性溶媒と非揮発性溶媒との混合物を含む，請求項１記載の蒸気生成製品。
【請求項６】
精油がティーツリー油である，請求項１−５のいずれかに記載の製品。
【請求項７】
精油が桂皮油である，請求項１−５のいずれかに記載の製品。
【請求項８】
揮発性溶媒がアルコールである，請求項１−７のいずれかに記載の製品。
【請求項９】
アルコールがイソプロパノールである，請求項１−８のいずれかに記載の製品。
【請求項１０】
非揮発性溶媒が水である，請求項１−９のいずれかに記載の製品。
【請求項１１】
非揮発性溶媒がグリコールである，請求項１−９のいずれかに記載の製品。
【請求項１２】
グリコールがモノプロピレングリコールである，請求項１１記載の製品。
【請求項１３】
揮発性溶媒対非揮発性溶媒の比が１０：１から１：１０の比率である，請求項１−１２のいずれかに記載の製品。
【請求項１４】
担体が不織布材料である，請求項１−１３のいずれかに記載の製品。
【請求項１５】
不織布担体がセルロースとポリプロピレンとの組み合わせである，請求項１−１４のいずれかに記載の製品。
【請求項１６】
担体がボール紙である，請求項１−１３のいずれかに記載の製品。
【請求項１７】
担体が焼結プラスチックである，請求項１−１３のいずれかに記載の製品。
【請求項１８】
担体が不定形二酸化ケイ素である，請求項１−１３のいずれかに記載の製品。
【請求項１９】
ボール紙担体の一辺の寸法が少なくとも２００ｍｍである，請求項１６記載の製品。
【請求項２０】
担体が，自己接着物質またはラベルである，請求項１−１３のいずれかに記載の製品。
【請求項２１】
請求項１−２０のいずれかにおいて定義される１またはそれ以上の精油または精油成分，および請求項１−２０のいずれかにおいて定義される揮発性溶媒と非揮発性溶媒との混合物を粘稠な液体中に含む蒸気生成用処方。
【請求項２２】
二酸化ケイ素を加えることにより粘度が調節されたものである，請求項２１記載の処方。
【請求項２３】
１またはそれ以上の精油または精油成分が染みこませてある担体材料であって，担体は少なくとも２００ｍｍの長さを有する弾力的なまたは剛性の材料である，担体材料。
【請求項２４】
材料がボール紙である，請求項２３記載の担体材料。
【請求項２５】
長さが少なくとも３００ｍｍであり，幅が５０ｍｍ以下である，請求項２３または２４に記載の担体。
【請求項２６】
ゴミ箱に挿入するための細長い実質的に平板のカードの形である，請求項２３−２５のいずれかに記載の担体材料。
【請求項２７】
ゴミ処理箱を消毒し消臭するための，請求項１−２６のいずれかに記載の製品，処方または担体材料の使用。
【請求項２８】
請求項１−２２のいずれかに記載の製品または処方，または請求項２３−２６のいずれかに記載の担体を含むゴミ処理箱。
【発明の詳細な説明】
【技術分野】
【０００１】
発明の背景
本発明は，蒸気の作用により空間中の微生物，特にグラム陽性細菌，例えば，Ｓｔａｐｈｙｌｏｃｏｃｃｕｓ  ａｕｒｅｕｓの増殖を防止するための，長期間，典型的には数週間活性である製品に関する。
【背景技術】
【０００２】
発明の背景
消毒および衛生化の分野においては，化学薬品の安全性およびこれらの化学化合物またはその残留物が環境に与える効果に関する懸念のため，一般に化学薬品から離れる動きがある。このため，多くの領域において，天然の化合物を消毒剤として用いることに対する興味が増加してきている。
【０００３】
精油の抗微生物的性質はよく立証されている。例えば，ＥＰ１１４６１１１は，桂皮油またはその活性体に基づく硬い表面の消毒処方を開示する。この組成物は，５分間の接触時間で抗微生物性能を１回測定する欧州標準ＥＮ１２７６にしたがって試験されている。さらに，この出願は硬い表面の消毒についてのものであるため，抗微生物活性は，活性分子と微生物を直接接触させることによるものである。ティッシュの使用が議論されているが，他の担体についての詳細はなく，抗微生物性能に及ぼすティッシュ上の種々の化学物質の効果も述べられていない。
【０００４】
ＷＯ９６／３９８２６は，汚染された環境を消毒するための精油成分，例えば桂皮アルデヒドおよびコニフェリルアルデヒドの使用を記載するが，明細書には，処方の有用な性能データは記載されていない。
【０００５】
また，多数の特許公開が，植物病原体の防除用に，燻蒸剤である臭化メチルの代わりとして精油および精油成分を提案している。ＷＯ２０００２１３６４は，トルコに自生する植物，例えば，Ｔｈｙｍｂｒａ  ｓｐｉｃａｔａから得た精油の活性を調べており，主要な標的は昆虫および真菌であるが，ある程度の抗細菌活性が主張されており，油の蒸気活性の小規模かつ短期間の評価の方法が記載されている。特許公開に挙げられている７０種の精油成分のうち，アネトールという化合物が，燻蒸剤としてさらに研究するために選択されている。さらに，経時的に活性を制御する試みは記載されていない。
【０００６】
婦人衛生廃棄物，例えば，使用済みの生理用ナプキンおよびタンポン，および汚れたオムツおよび失禁パッドはしばしば特殊なゴミ箱に捨てられ，いくつかの会社がこれらのゴミ箱に関連するサービスを提供している。典型的には，ゴミ箱は顧客の敷地で２−８週間サービスに供される。これは，消毒剤または消毒システムにおける特別の難問である。病原性であるかもしれない生物で汚染した廃棄物が長期間にわたって継続してゴミ箱中に置かれ，有機性物質の負荷量が絶え間なく増加し，新たな病原性細菌が常に加えられるため，これらの消毒が必要であるためである。すなわち，婦人衛生ゴミ箱は，この技術の用途と，発明の利点および特徴の理想的な実証との両方を与える。
【０００７】
容器中における微生物の増殖に関して懸念がもたれており，これは消費者およびサービス会社の作業者に対して危険でありうると感じられる。また，これは不愉快な臭いの発生につながる。これに対抗するため，容器中ではしばしば殺生物システムが用いられる。伝統的には，大量の液体消毒剤を使用することにより行われているが，これは廃棄の必要な物質の重量の増加につながり，また，材料が容器の底の衛生廃棄物に一旦吸収されると，容器全体における液体系の長期有効性に関して懸念がある。他のシステムは，例えば，二酸化イオウを生成する気体発生システムに基づくものである。この気体は次に容器中に浸透し，廃棄物を消毒することができる。気体の放出の制御，ならびに二酸化イオウに関する健康および安全性の懸念について疑問があり，このためこの技術は多数の国で禁止されている。
【０００８】
上述したように，消毒の分野においては一般に，化学薬品から離れる動きがある。ゴミ箱において用いるための，精油および植物抽出物に基づく単純な低容量の消毒システムがＥＰ０９６５５４１の主題である。
【０００９】
ＥＰ０９６５５４１に開示される蒸気系の製品の性能を試験するために用いられている細菌はグラム陰性細菌，例えば，Ｓａｌｍｏｎｅｌｌａ，ＰｓｅｕｄｏｍｏｎａｓおよびＥｓｃｈｅｒｉｃｈｉａ  ｃｏｌｉである。グラム陽性細菌は一般に，天然の植物抽出物および精油に対して，より耐性が高いようである。しかし，多くのグラム陽性細菌は病原性である。Ｓｔａｐｈｙｌｏｃｏｃｃｕｓ  ａｕｒｅｕｓは，例えば，多くの一般的な皮膚感染を引き起こすことができ，摂取すると食中毒を引き起こす場合もある。さらに，ＥＰ０９６５５４１に報告されている実験は，容器サービスの時間的間隔を反映しておらず，特に，同じ貯蔵場所において長期間繰り返し実験を行っていない。婦人衛生ゴミ箱において用いるための真に有効な天然物は，消費者および作業者の保護の役割を満たし，ある市場における規制の認可を達成することの両方のため，すべての種類の細菌に対して，かつ容器のサービス期間を正確に表す時間枠にわたって，活性である必要があろう。すなわち，グラム陽性細菌に対する製品の性能を改善すること，および，容器のサービス間隔に合わせて製品の活性を調節することが本発明の主な特徴である。
【発明の開示】
【課題を解決するための手段】
【００１０】
発明の概要
本発明の第１の観点によれば，担体に吸収された，１またはそれ以上の精油または精油成分，および揮発性溶媒と非揮発性溶媒との組み合わせを含む組み合わせを含む，ゴミ処理箱等の空間を数週間にわたって消毒および消臭するための蒸気に基づく製品が提供される。
【００１１】
本発明の第２の観点によれば，蒸気生成用処方は，粘稠な液体中に，１またはそれ以上の精油または精油成分，および揮発性溶媒と非揮発性溶媒との組み合わせを含む組み合わせを含む。
【００１２】
本発明の第３の観点によれば，上述の本発明の処方を用いて，ゴミ処理箱を消毒および消臭する。
【００１３】
本発明の第４の観点によれば，ゴミ処理箱は上述の本発明の製品または処方を含む。
【００１４】
本発明の第５の観点によれば，担体材料には１またはそれ以上の精油または精油成分が染みこませてあり，担体は少なくとも２００ｍｍの長さを有する，弾力的なまたは剛性の材料である。
【発明を実施するための最良の形態】
【００１５】
発明の説明
本発明は，ゴミ処理箱等の空間を消毒および消臭するための処方および製品を提供する。本発明は，精油または精油成分と，揮発性溶媒または非揮発性溶媒の混合物との間に見いだされた相乗効果を利用する。
【００１６】
本発明において用いるための好ましい精油成分は，桂皮アルデヒド，桂皮アルコール，ゲラニオール，リナロール，ベンズアルデヒド，アニスアルデヒド，テルピネン−４−オール，アミル−桂皮アルデヒド，ヘキシル−桂皮アルデヒドおよびオイゲノールからなる群より選択され，単独で用いても組み合わせて用いてもよい。好ましい精油としては，ティーツリー油，チョウジ葉油，チョウジ芽油，桂皮油，シナモンバーク油，スペアミント油（米国産でも中国産でもよい），ベルガモット油，マジョラム油，苦扁桃油，レモンティーツリー油，月桂樹油，マヨラナ，レモン油，ピメントベリー油，オレンジ油，カッシア油およびクミン油が挙げられる（これらも単独で用いても組み合わせて用いてもよい）。
【００１７】
このような精油成分および／または精油は，製品の蒸気作用を特定の期間制御するために，ある種の担体，例えば，紙，ボール紙等に吸収させることができる。
【００１８】
本発明の重要な観点は，活性成分（単数または複数）と少なくとも２種類の溶媒のブレンドとを組み合わせることである。混合物中の溶媒は，揮発性溶媒（特に低級アルコール，最も好ましくはイソプロパノール），および非揮発性溶媒（例えば，水またはグリコール，最も好ましくはモノプロピレングリコール）を含む。溶媒混合物は２つの目的を有する。第１に，揮発性溶媒対非揮発性溶媒の比率を変化させることにより，製品の活性の寿命を操作することができる。揮発性溶媒のレベルをより高くすると，最初の突発的な抗微生物活性は高いが，活性の寿命は短い傾向にあり，一方，非揮発性溶媒のレベルを増加させると，抗微生物蒸気の放出速度が遅くなり，製品の活性の寿命は長くなる傾向にある。本発明における溶媒の比率は，揮発性溶媒対非揮発性溶媒の比が１０：１と１：１０との間，より好ましくは３：１と１：３との間で様々でありうる。
【００１９】
溶媒は，本発明の抗微生物活性を相乗的に改善するという第２の効果を有する。イソプロパノールおよびエタノール等のアルコール，ならびにモノプロピレングリコール等のグリコールはいずれも，抗細菌または抗真菌活性を有することが報告されているが，これは通常は比較的高い濃度で液体系に存在する場合である。本発明においては，各溶媒を数グラム用いているが，これが５０リットルまでの容量の容器中で６−８週間の間消毒効果を有するとは予測されていなかった。しかし，油または油成分と組み合わせて用いると，予測できない相乗的な効果が見いだされ，この組み合わせは，成分単独と比較してはるかに大きくかつ長時間持続する抗微生物蒸気効果を有する。
【００２０】
本発明では，精油と精油成分との相乗的な組み合わせが見いだされた。精油と精油成分とのある種の組み合わせは，いずれかの成分を単独で用いたときに示される効果よりはるかに高い抗微生物効果を有する。そのような混合物の一例は，桂皮油と桂皮アルコールとの組み合わせである。桂皮アルコールは桂皮油中に存在するが，これは油の主要成分ではなく，抗微生物剤であるとは報告されていない。すなわち，混合物中の桂皮油の濃度を増加させることにより，抗微生物活性が特に増加することは予測できなかった。
【００２１】
活性な材料を担体材料上に浸透させると，抗微生物剤蒸気を長時間にわたって放出することが可能となる。
【００２２】
活性成分／溶媒混合物の供給には多くの担体を用いることができる。好ましい態様は，セルロース繊維／プラスチック不織布シートを用いることである。ポリプロピレンは活性混合物中の非極性分子の誘引性を有し，これらをより強く保持する傾向にあるが，一方，ビスコースは非極性材料を誘引し，これらをより強く保持するする傾向にあるため，セルロース繊維（極性材料）とプラスチック（非極性材料）との比率の変更は，活性成分の放出速度および放出特性に影響を及ぼす。本発明の好ましい態様は，水流絡合法により製造される，市場ではＡｈｌｓｔｒｏｍＡ４４５９として知られている，約６０ｇ／ｍ2の重量のセルロース（木材パルプ繊維）／ポリプロピレン不織布材料である。他の供給源からの他の適当な不織布材料は当業者には明らかであろう。
【００２３】
本発明のさらに別の態様は，弾力的なまたは剛性の材料，例えばボール紙を担体として使用することである。１つの態様においては，ボール紙は，段ボール状または硬いカード状の形であり，少なくとも２００ｍｍ，好ましくは少なくとも３００ｍｍ，最も好ましくは１０００ｍｍ以下（例えば，４００ｍｍまで）の長さを有する。幅は，少なくとも１０ｍｍ，より好ましくは２０ｍｍ，最も好ましくは５０ｍｍ未満であることができる。寸法は，ボール紙が容器中で立つようにして，容器に入ってくる廃棄物に埋もれることを防ぐようにボール紙をゴミ箱中に挿入して用いることができるように選択される。ボール紙は，実質的に直立させて置いてもよく，または容器の対角線上に置いてもよい。
【００２４】
製造工程の間にボール紙の一方の端に活性成分混合物をセットすることができ，次にこの端を容器の最上部に設置すると，入ってくる廃棄物に埋まることを避けることができる。したがって，ボール紙，または他の弾力的なまたは剛性の材料は，棒状であってもよい。このような目的を達成する他の形状および材料は当業者には明らかであろう。
【００２５】
担体はまた，一片の焼結プラスチック，例えば，ポリエチレンまたはポリプロピレンからなるものであってもよい。この材料は約５０％の空隙容量から構成されるように製造することができ，これを受動吸着または真空技術のいずれかにより，活性混合物で充填することができる。材料の形状はシート状であってもよく，または何らかの方法により容器の内側または容器の蓋に取り付けることができるように，より洗練された成形，加工または積層であってもよい。
【００２６】
担体のさらに別の態様は，５０重量％を越える活性混合物を吸収することができ，かつ粒子サイズが小さいため，それぞれが活性成分を生成する蒸気放出粒子を容器全体に供給することができる，不定形二酸化ケイ素の使用である。
【００２７】
有機であっても無機であってもよい任意の適当な固体担体を，活性／溶媒混合物の供給システムとして用いることができる。これには，限定されないが，粉末，顆粒，ペレット，ブロック，パッド，シート，自己接着材料またはラベル等が含まれる。
【００２８】
本発明のさらに別の態様は，活性な混合物を粘稠なゲルとして供給することを含む。活性な混合物の粘度は，粘度調節剤，例えばセルロースガム，アニオン性コポリマー等を加えることにより調節することができる。粘度を増加させる好ましい方法は，不定形二酸化ケイ素，例えば，Ａｅｒｏｓｉｌ  ２００（Ｄｅｇｕｓｓａ  ＡＧ）を用いる方法であり，これは，１−９％の範囲で，より好ましくは６．５−８．５％（ｗ／ｗ）の範囲で液体に加えることができる。別の適当な粘度調節系は当業者によく知られている。
【実施例】
【００２９】
以下の実施例により本発明を説明する。
実施例１
この実施例は，担体上の桂皮アルデヒドはＷ０９６／３９８２６に記載されているように比較的長く持続する抗微生物特性を有することができるが，溶媒混合物を加えると処方の初期活性が増加し，長期の効力が有意に改善されることを示す。溶媒混合物単独では，最初は非常に効力が高かったが，急速に衰え，実験の終わりには未処理対照とほとんど変わらなかった。
【００３０】
試験系は，一般的な型の婦人衛生ゴミ箱からなるものであった。１つの容器には，２ｇのモノプロピレングリコールおよび６ｇのイソプロパノールを入れ，第２には０．５ｇの桂皮アルデヒド，第３には０．７５ｇの桂皮アルデヒド，第４には０．５ｇの桂皮アルデヒド，および２ｇのモノプロピレングリコールおよび６ｇのイソプロパノール，第５には０．７５ｇの桂皮アルデヒド，および２ｇのモノプロピレングリコールおよび６ｇのイソプロパノールを入れた。すべての試験溶液は，２０ｃｍｘ２０ｃｍ片のセルロース／ポリプロピレン不織布，すなわちＡｈｉｓｔｒｏｍ  ＡＨ４５５９に吸収させた。最後の容器には何も処理をせず，対照として用いた。
【００３１】
実験を開始するために，１ｍｌの滅菌ウマ血清を９ｍｌのグラム陽性生物Ｓｔａｐｈｙｌｏｃｏｃｃｕｓ  ａｕｒｅｕｓ  ＮＣＴＣ４１６３の一晩培養物に加え，次に２０μｌのこの混合物を各容器について４０枚の滅菌Ｗｈａｔｍａｎ抗生物質ディスク上にピペットで加えた。接種したディスクをＳｔｅｒｉｌｉｎ  ２５区画方形ペトリ皿（Ｓｔｅｒｉｌｉｎｐａｒｔ，コード１０３）の別々の区画に入れ，蓋を返して開放したまま支えるようにした。次に，プレートを容器の底から約１５ｃｍ上方のバスケットに入れ，容器に蓋をした。製品蒸気に２４，４８または７２時間曝露した後（表１を参照），ディスクをトレイから取り出し，生存している細菌を１０倍希釈の最大希釈で数え，マイル・ミスラ（Ｍｉｌｅｓ  ａｎｄ  Ｍｉｓｒａ）手法を用いて，Ｓｔａｐｈｙｌｏｃｏｃｃｕｓ株に選択的な固化Ｂａｉｒｄ−Ｐａｒｋｅｒ培地に播種した。プレートを３７℃で一晩インキュベートし，次に，適当に希釈してコロニーを数えた。ディスクを時間０でユニットに置き，１４日，２０日および３５日後に，各場合について各ディスク上で生き残った細菌の数を計算した。試験した処方の結果を以下に示す。
【００３２】
【表１】
2007500028.tif 000002
【００３３】
実施例２
精油と精油成分との混合物の相乗的効果をさらに示すため，３つの処方を作製した。１つは２ｇの桂皮油を含み，第２の処方は１ｇの桂皮アルコールを含み，第３の処方は２ｇの桂皮油と１ｇの桂皮アルコールの両方を含むものであった。
【００３４】
用いた方法は，実施例１に記載されるディスク法であるが，ただし，試験生物としてＥｓｃｈｅｒｉｃｈｉａ  ｃｏｌｉ  ＮＣＴＣ８１９６を用い，ディスクは時間０にユニットに置き，製品蒸気に７２時間曝露し，ＭａｃＣｏｎｋｅｙ寒天Ｎｏ．３を用いて生き残った細菌を数えた。３つの試験処方についての結果を以下に示す。
【００３５】
【表２】
2007500028.tif 000003
【００３６】
この実験は，精油と精油成分との組み合わせが，いずれかの成分を単独で用いた場合よりも非常に効果が高いことを明確に示す。
【００３７】
実施例３
種々の溶媒比率が製品の作用の寿命に及ぼす影響を調べるためにさらに実験を行った。それぞれ２ｇの桂皮油および１ｇの桂皮アルコールを含む種々の処方を調整した。各処方はまた，様々な比率のイソプロパノールとモノプロピレングリコールを含む１０ｇの溶媒混合物を含むものであった。
【００３８】
実施例２に記載の試験系を用いた。すなわち，用いた生物はＥｓｃｈｅｒｉｃｈｉａ  ｃｏｌｉ  ＮＣＴＣ８１９６であり，生物の増殖用に用いた寒天はＭａｃＣｏｎｋｅｙ寒天Ｎｏ．３であった。この実施例においては，製品蒸気に２４，４８および７２時間曝露した後に，トレイから５枚のディスクを取り出し，９ｍｌの栄養培地に入れた。これらの培地を３７℃でインキュベートした後，２４時間後の成長について調べた。成長を示した培地はすべて，次にＭａｃＣｏｎｋｅｙ寒天Ｎｏ．３上に画線状に植えて，Ｅ．ｃｏｌｉの存在について試験した。画線上の成長をポジティブと評点し（すなわち，ディスク上に生き残ったＥ．ｃｏｌｉが存在），成長がないものをネガティブとして評点した（ディスク上のＥ．ｃｏｌｉが１００％死滅）。試験処方を加えた０，２，４，６および８週間後に新たに接種したディスクをゴミ箱に入れてこの実験を繰り返した。溶媒の比率を変化させた結果を以下に示す。
【００３９】
【表３】
2007500028.tif 000004
【００４０】
この結果は，主としてモノプロピレングリコールを含む混合物においては，製品の初期の性能は許容可能なものであるが，長期では性能は急速に衰えることを示す。イソプロパノールの比率を増加させて等量混合物を作成しても改善は見られないが，さらにイソプロパノール対モノプロピレングリコールを３：１に増加させると，製品の長期性能が顕著に改善され，所望の８週間の間ユニット中で活性が維持された。イソプロパノールの量をさらに５：１に増加させると，初期の性能はわずかに改善されたが，長期性能はあまり受け入れられないものであった。すなわち，比率の操作が処方の長期活性に及ぼす影響が示された。この細菌に対して活性であり，かつこれらの油を用いる製品については３：１の比率が正しい組み合わせであるが，他の油および他の活性混合物には，活性混合物それ自体の性質によって，揮発性と非揮発性溶媒との異なる比率が必要であろう。
【００４１】
実施例４
さらに，従来技術より優れた本発明の価値を以下の実施例に示す。ティーツリー油と二酸化ケイ素との組み合わせはＥＰ０９６５５４１に記載されている。この従来技術処方は，１．２ｇのティーツリー油を３．８ｇのＳｉｐｅｒｎａｔ２２二酸化ケイ素に吸収させたものであり，これをジャー実験において，１．２ｇのティーツリー油，４．２ｇのモノプロピレングリコール，１．８ｇのイソプロパノールからなる処方を５．４ｇのＳｉｐｅｒｎａｔ２２二酸化ケイ素に吸収させたものと比較して試験した。２つの試験処方のそれぞれについて３つのジャーを，対照について３つのジャーを用いた。２つの製品をそれぞれ３つのジャーの底に入れ，別々のジャーで３種類の試験細菌，すなわち，Ｓａｌｍｏｎｅｌｌａ  ｔｙｐｈｉｍｕｒｉｕｍ，Ｓｔａｐｈｙｌｏｃｏｃｃｕｓ  ａｕｒｅｕｓおよびＥｓｃｈｅｒｉｃｈｉａ  ｃｏｌｉを接種した生理用ナプキンを製品の上方につるし，ジャーを密封した。ナプキン中で生存している細菌を標準的な微生物学的方法を用いて数えた。
【００４２】
【表４】
2007500028.tif 000005
【００４３】
従来技術処方からのデータは，ＥＰ０９６５５４１に報告されているものと同様であり，製品蒸気に約７日間曝露すると細菌の数が減少した。溶媒を含む新たな処方では活性の増加が明らかに認められ，たった１日で細菌のレベルは検出限界以下にまで減少した。
【００４４】
実施例５
本発明の１つの特定の態様は，活性成分混合物を不織布のシートに供給することを含む。これは，製造プロセスを経済的にするのみならず，末端ユーザが製品を分配することが容易であり，さらに製品の抗微生物特性を改善する。２ｇの桂皮アルデヒドおよび１ｇの桂皮油，および６ｇのモノプロピレングリコールと２ｇのイソプロパノールの溶媒ミックスから構成される活性成分混合物を，多数の供給系で試験した。１つの衛生処理ユニットでは，それ自体活性な液体を小さいガラスビーカーに入れてユニットの底に置き，第２のユニットでは，活性混合物を８５ｍｍｘ５５ｍｍｘ４ｍｍ厚の純粋なセルロースパッドに吸収させ，第３のユニットでは，活性混合物を好ましい態様である２０ｃｍｘ２０ｃｍ片のセルロース／ポリプロピレン不織布，すなわち，Ａｈｌｓｔｒｏｍ  ＡＨ４５５９に吸収させた。第４のユニットは処理をせず，対照として用いた。
【００４５】
実施例１に記載される試験系，すなわちディスク上のＳｔａｐｈｙｌｏｃｏｃｃｕｓ  ａｕｒｅｕｓ細菌を用いた。この実施例においては，接種したディスクを１０日後にユニット中に置き，製品に４８時間曝露した後，ディスクを取り出して，各ディスク上で生存している細菌の数を数えた。結果を以下の表５に示す。
【００４６】
【表５】
2007500028.tif 000006
【００４７】
実施例６
本発明のさらに別の態様は，活性成分混合物を一片のボール紙上に供給することを含む。活性混合物は，０．７５ｇの桂皮アルデヒドから構成され，ボール紙は４００ｍｍｘ２０ｍｍｘ３ｍｍの大きさのＢ溝段ボールであった。活性混合物をボール紙の一方の端に吸収させ，次にこの端を上側にしてユニット中に入れた。１つの衛生処理ユニットにはこの試験系を入れ，第２のユニットは処理をせず対照として用いた。実施例１に記載される試験系，すなわち，ディスク上のＳｔａｐｈｙｌｏｃｏｃｃｕｓ  ａｕｒｅｕｓ細菌を用いた。この実施例においては，接種したディスクを時間０および１４日後にユニット中に入れ，製品に７２時間曝露した後，ディスクを取り出して，各ディスク上で生存している細菌の数を数えた。結果を以下の表６に示す。
【００４８】
【表６】
2007500028.tif 000007
【００４９】
この結果は，ボール紙もまた，この技術を供給するのに適した材料であることを示す。
【００５０】
実施例７
本発明のさらに別の態様は，活性成分混合物を一片の焼結ポリエチレン上に，または二酸化ケイ素を加えることにより形成された粘稠なゲル中に供給することを含む。いずれの場合も，活性混合物は，１ｇの桂皮アルデヒドおよび６ｇのモノプロピレングリコールと２ｇのイソプロパノールとの溶媒ミックスから構成されるものであった。焼結ポリエチレンは，大きさが１００ｍｍｘ８０ｍｍｘ３ｍｍ，平均孔サイズ１００μｍ，空隙容量約４０％を有するものであった。ゲルは６．５％のＡｅｒｏｓｉｌ  ２００（Ｄｅｇｕｓｓａにより製造された燻した二酸化ケイ素）を液体調製物に加えることにより作製した。１つの衛生処理ユニットには焼結プラスチック系を入れ，１つにはゲルを，そして第３のユニットは何も処理せず対照として用いた。
【００５１】
実施例１に記載される試験系，すなわちディスク上のＳｔａｐｈｙｌｏｃｏｃｃｕｓ  ａｕｒｅｕｓ細菌を用いた。この実施例においては，接種したディスクを時間０および１４日後にユニット中に入れ，製品に７２時間曝露した後，ディスクを取り出して，各ディスク上で生存している細菌の数を数えた。結果を以下の表７に示す。
【００５２】
【表７】
2007500028.tif 000008
【００５３】
結果は，いずれの態様もこの技術を提供するのに適した方法であることを示す。これらの最適化されていない系からは，焼結プラスチックが粘稠なゲルよりわずかに効力が高いことが示される。
【００５４】
実施例８
さらに，従来技術より優れた本発明の価値を以下に示す。４ｇの桂皮アルデヒドおよび６ｇのモノプロピレングリコールと２ｇのイソプロパノールとの溶媒ミックスから構成される活性成分混合物を２０ｃｍｘ２０ｃｍ片のＡｈｉｓｔｒｏｍ  ＡＨ４５５９に吸収させ，ＥＰ０９６５５４１に記載される，３．８ｇのＳｉｐｅｒｎａｔ  ２２二酸化ケイ素に吸収させた１．２ｇのティーツリー油を含む処方と比較して試験した。
【００５５】
実施例１および５に記載される試験系，すなわち，ディスク上のＳｔａｐｈｙｌｏｃｏｃｃｕｓ  ａｕｒｅｕｓ  ＮＣＴＣ４１９６細菌を用いた。この実施例においては，接種したディスクを時間０および４および８週間後にユニット中に入れ，それぞれの場合について製品蒸気に７２時間曝露した後，ディスクを取り出して，ディスク１枚あたりに生存している細菌の数を数えた。結果を以下の表８に示す。
【００５６】
【表８】
2007500028.tif 000009
【００５７】
８週間の期間にわたり，グラム陽性細菌に対して有意な抗微生物効果が得られた。このことは，従来技術より優れた本発明の価値を明確に示す。
【００５８】
実施例９
イソプロパノールの代わりに種々の揮発性溶媒を用いた効果を示すために，さらに別の実験を行った。１．５ｇの桂皮アルデヒド，０．２５ｇ桂皮油および３ｇのモノプロピレングリコールと９ｇの各アルコールとの溶媒ミックスから構成される活性成分混合物を用いた。合計５種類のアルコール，すなわち，イソプロパノール，ｎ−プロパノール，メタノール，エタノールおよびｎ−ブタノールを試験した。各活性物質および溶媒混合物を２０ｃｍｘ２０ｃｍ片のＡｈｉｓｔｒｏｍ  ＡＨ４５５９に吸収させた。
【００５９】
実施例１に記載した試験系，すなわち，ディスク上のＳｔａｐｈｙｌｏｃｏｃｃｕｓ  ａｕｒｅｕｓ  ＮＣＴＣ４１９６細菌を用いた。この実施例においては，接種したディスクを時間０，および２，４，６および８週間後にユニット中に置いた。それぞれの場合において，製品蒸気に７２時間曝露した後に各容器からサンプルを取り出した。ディスクを取り出して，９ｍｌの栄養培地中に入れた。これらの培地を３７℃でインキュベートし，次に２４時間後の成長を調べた。成長を示した培地は，ＢａｉｒｄＰａｒｋｅｒ寒天に画線状に植えて，Ｓｔａｐｈｙｌｏｃｏｃｃｕｓ  ａｕｒｅｕｓの存在を調べた。画線上の成長を陽性として評点し（すなわち，生存したＳｔａｐｈｙｌｏｃｏｃｃｕｓ  ａｕｒｅｕｓがディスク上に存在），成長のないものを陰性とした（ディスク上のＳｔａｐｈｙｌｏｃｏｃｃｕｓ  ａｕｒｅｕｓが１００％死滅）。結果を以下の表９に示す。
【００６０】
【表９】
2007500028.tif 000010
【００６１】
これらの結果は，本発明において広範な範囲のアルコールを用いることができることを明確に示す。
【００６２】
実施例１０
モノプロピレングリコールの代わりに種々のグリコールを用いた効果を示すために，さらに別の実験を行った。１．５ｇの桂皮アルデヒド，０．２５ｇ桂皮油および３ｇのグリコールと９ｇイソプロパノールとの溶媒ミックスから構成される活性成分混合物を標準として用いた。合計で５種類のグリコールを試験した。各活性混合物を２０ｃｍｘ２０ｃｍ片のＡｈｌｓｔｒｏｍ  ＡＨ４５５９に吸収させた。
【００６３】
実施例１に記載した試験系，すなわち，ディスク上のＳｔａｐｈｙｌｏｃｏｃｃｕｓ  ａｕｒｅｕｓ  ＮＣＴＣ４１９６細菌を用いた。この実施例においては，摂取したディスクを第１週にユニット中に置き，製品蒸気に２４および４８時間曝露した後に各容器から除去した。ディスクを取り出して，９ｍｌの栄養培地中に入れた。これらの培地を３７℃でインキュベートし，次に２４時間後の成長を調べた。成長を示した培地は，ＢａｉｒｄＰａｒｋｅｒ寒天に画線状に植えて，Ｓｔａｐｈｙｌｏｃｏｃｃｕｓ  ａｕｒｅｕｓの存在を調べた。画線上の成長を陽性として評点し（すなわち，生存したＳｔａｐｈｙｌｏｃｏｃｃｕｓ  ａｕｒｅｕｓがディスク上に存在），成長のないものを陰性とした（ディスク上のＳｔａｐｈｙｌｏｃｏｃｃｕｓ  ａｕｒｅｕｓが１００％死滅）。結果を以下の表１０に示す。
【００６４】
【表１０】
2007500028.tif 000011
【００６５】
これらの結果は，本発明において広範な種類のグリコールを非揮発性溶媒として用いることができることを明確に示す。
【００６６】
実施例１１
本発明において使用しうる非揮発性溶媒のさらなる例を以下に示す。２ｇの桂皮アルデヒド，０．２５ｇ桂皮油，および３．５ｇの水と６．５ｇのイソプロパノールとの溶媒ミックスから構成される活性成分混合物を２２ｃｍｘ２５ｃｍ片のＡｈｌｓｔｒｏｍ  ＡＨ４５５９に吸収させ，実施例１および５に記載の方法，すなわち，ディスク上のＳｔａｐｈｙｌｏｃｏｃｃｕｓ  ａｕｒｅｕｓ  ＮＣＴＣ４１９６細菌を用いて試験した。この実施例では，接種したディスクを時間０，および２，４，６および８週間後にユニット中に置いた。それぞれの場合において，製品蒸気に７２時間曝露した後に各容器からサンプルを取り出した。ディスクを取り出し，生存している細菌を数えた（表１１）。
【００６７】
【表１１】
2007500028.tif 000012
【００６８】
８週間の期間にわたり，グラム陽性細菌に対する有意な抗微生物効果が得られた。このことは，本発明のこの特定の態様の価値を明確に示す。
【国際調査報告】
2007500028.tif 000013
2007500028.tif 000014